(57)【要約】  特定の商品上で使用される、および／または、特定のイベントのための独特な熱転写画像およびフラグラベルが開示されている。熱転写画像は、イベント、チーム等を宣伝するために使用されることができる。代表的には、熱転写画像は、シャツ、帽子、ショートパンツ、スポーツ若しくは他の衣類のような衣服物品に付けられており、代表的には、スポーツコートまたはフィールドであるだろう。フラグラベルは、衣類が下で見えるように鮮明な背景を有するのがよく、スポーツコートまたはフィールドの線だけが見えるであろうし、或いは、背景は、フィールドまたはコートの色でもよく、チーム背景のいくつかに似ていてもよいであろう。【選択図】図１
2018534604.tif 000002
【特許請求の範囲】
【請求項１】
アパレル上で使用される熱転写画像／フラグラベルであって、該熱転写画像／フラグラベルは、
フラグラベルと、
前記フラグラベル上で１つまたはそれ以上のグラフィックまたはテキストを構成するように形成された少なくとも１つの印刷熱転写画像と、を含む、熱転写画像／フラグラベル。
【請求項２】
前記少なくとも１つの印刷熱転写画像は、スポーツコートまたはフィールドを含む、請求項１に記載の熱転写画像／フラグラベル。
【請求項３】
前記スポーツコートまたはフィールドは、テニスコート、サッカーフィールド、バスケットボールコート、バドミントンコート、バレーボールコート、または、卓球コートのうちの少なくとも１つで構成されている、請求項２に記載の熱転写画像／フラグラベル。
【請求項４】
前記フラグラベルは、前記スポーツコートまたはフィールドの構成要素をさらに含む、請求項２に記載の熱転写画像／フラグラベル。
【請求項５】
前記構成要素は、テニスネット、サッカーゴール、バスケットボールゴール、または、フットボールフィールドゴールのうちの少なくとも１つを含む、請求項４に記載の熱転写画像／フラグラベル。
【請求項６】
前記フラグラベルは、ブランド名をさらに含む、請求項５に記載の熱転写画像／フラグラベル。
【請求項７】
前記少なくとも１つの印刷熱転写画像は、光学的に読み取り可能な情報を含む印刷物を提供するために紫外線硬化型インクで印刷されている、請求項１に記載の熱転写画像／フラグラベル。
【請求項８】
前記少なくとも１つの印刷熱転写画像は、基材に付けられている、請求項１に記載の熱転写画像／フラグラベル。
【請求項９】
前記基材は、代表的には、不織布材料である、請求項８に記載の熱転写画像／フラグラベル。
【請求項１０】
前記基材は、衣服物品に組み込まれている、請求項９に記載の熱転写画像／フラグラベル。
【請求項１１】
前記衣服物品は、シャツ、ショートパンツ、キャップ、トレーナー、または、ジャージのうちの少なくとも１つを含む、請求項１０に記載の熱転写画像／フラグラベル。
【請求項１２】
アパレル上で使用される熱転写画像／フラグラベルであって、該熱転写画像／フラグラベルは、
フラグラベルと、
前記フラグラベル上でスポーツコートまたはフィールドを構成するように形成された少なくとも１つの印刷熱転写画像と、を含み、
前記スポーツコートまたはフィールドは、テニスコート、サッカーフィールド、バスケットボールコート、バドミントンコート、バレーボールコート、または、卓球コートのうちの少なくとも１つで構成されている、熱転写画像／フラグラベル。
【請求項１３】
前記フラグラベルは、前記スポーツコートまたはフィールドの構成要素をさらに含む、請求項１２に記載の熱転写画像／フラグラベル。
【請求項１４】
前記構成要素は、テニスネット、サッカーゴール、バスケットボールゴール、または、フットボールフィールドゴールのうちの少なくとも１つを含む、請求項１３に記載の熱転写画像／フラグラベル。
【請求項１５】
前記フラグラベルは、ブランド名をさらに含む、請求項１４に記載の熱転写画像／フラグラベル。
【請求項１６】
前記少なくとも１つの印刷熱転写画像は、基材に付けられている、請求項１２に記載の熱転写画像／フラグラベル。
【請求項１７】
前記基材は、代表的には、不織布材料である、請求項１６に記載の熱転写画像／フラグラベル。
【請求項１８】
前記基材は、衣服物品に組み込まれている、請求項１７に記載の熱転写画像／フラグラベル。
【請求項１９】
前記衣服物品は、シャツ、ショートパンツ、キャップ、トレーナー、または、ジャージのうちの少なくとも１つを含む、請求項１８に記載の熱転写画像／フラグラベル。
【請求項２０】
アパレル上で使用される熱転写画像／フラグラベルであって、該熱転写画像／フラグラベルは、
ブランド名を含むフラグラベルと、
前記フラグラベル上でスポーツコートまたはフィールド、および、前記スポーツコートまたはフィールドの構成要素を構成するように形成された少なくとも１つの印刷熱転写画像と、を含み、
前記スポーツコートまたはフィールドは、テニスコート、サッカーフィールド、バスケットボールコート、バドミントンコート、バレーボールコート、または、卓球コートのうちの少なくとも１つで構成されており、
前記構成要素は、テニスネット、サッカーゴール、バスケットボールゴール、または、フットボールフィールドゴールのうちの少なくとも１つを含み、
前記少なくとも１つの印刷熱転写画像は、不織基材に付けられており、前記不織基材は、衣服物品に組み込まれている、熱転写画像／フラグラベル。
【発明の詳細な説明】
【技術分野】
【０００１】
関連出願の相互参照
本発明は、出典を明示することによってその開示内容全体が本願の一部とされる、2015年9月11日に出願された米国実用出願第14/851,123号の利益を主張する。
【０００２】
本発明は、一般的には、熱転写画像／フラグラベルに関する。本主題は、衣類にラベル付けするのに特に適している。本主題の実施形態によれば、衣服および他の物品のための熱転写画像／フラグラベルが提供される。したがって、本願は、それらに特に言及する。しかしながら、本発明の特定の主題の観点は、他の同様な適用例に等しく従うことができることを理解すべきである。
【背景技術】
【０００３】
印刷フラグラベルは、よく知られており、ブランドの所有者が自らのブランドを表示することができるようにするために、ジーンズまたはシャツのポケットのような衣類上で通常使用される。本願で開示されているフラグラベルは、熱転写背景を備えたブランド表示フラグラベルを組み込んでいる。
【０００４】
特に、本発明は、特定の商品上で使用される、および／または、特定のイベントのための独特な熱転写画像およびフラグラベルを開示している。熱転写画像は、イベント、チーム等を宣伝するために使用されることができる。代表的には、熱転写画像は、シャツ、帽子、スポーツ若しくは他の衣類のような衣服物品に付けられる。熱転写画像は、代表的には、スポーツコートまたはフィールドであるだろう。ラベルは、衣類が下で見えるように鮮明な背景を有するのがよく、スポーツコートまたはフィールドの線だけが見えるであろうし、或いは、背景は、フィールドまたはコートの色でもよく、チーム背景のいくつかに似ていてもよいであろう。
【発明の概要】
【０００５】
以下は、開示された革新のいくつかの観点の基本的な理解を提供するために簡略化された概要を提示する。この概要は、広範な概観ではなく、基本的な(key)／重要な(critical)要素を同定したり、開示された革新の範囲を輪郭付けしたりすることを意図しない。その唯一の目的は、以下に提示されるより詳細な説明への前置きとしていくつかの概念を簡略化された形態で提示することである。 
【０００６】
本願で開示され、特許請求されている主題は、１つの観点では、特定の商品上で使用される、および／または、特定のイベントのための独特な熱転写画像およびフラグラベルを含む。フラグラベルは、特定のコートまたはフィールドを表示する熱転写背景を含む。１つの実施形態では、フラグラベルはまた、衣類の特定のブランドを表示する。
【０００７】
好ましい実施形態では、熱転写画像は、シャツ、帽子、スポーツ若しくは他の衣類のような衣服物品に付けられる。熱転写画像は、代表的には、スポーツコートまたはフィールドであろう。フラグラベルは、衣類が下で見えるように鮮明な背景を有するのがよく、スポーツコートまたはフィールドの線だけが見えるであろうし、或いは、背景は、フィールドまたはコートの色でもよく、チーム背景のいくつかに似ていてもよいであろう。
【０００８】
上記のおよび関連した目的の達成のために、開示された革新のいくつかの例示的な観点が、開示された革新の以下の説明および添付の図面と関連して本願で説明される。しかしながら、これらの観点は、本願に開示されている原理が利用できる種々の仕方のいくつかのみを示しているにすぎず、開示された革新は、すべてのかかる観点およびそれらの均等物を含むことを意図している。他の利点および新規な特徴は、添付の図面と関連させて考えたときに以下の詳細な説明から明らかになるであろう。
【０００９】
本発明のこれらの、および、他の目的および利点は、添付の図面と関連させて本発明の現在好ましい例示的な実施形態の以下のより詳細な説明を参照することによってより完全に理解されるであろう。
【図面の簡単な説明】
【００１０】
【図１】開示された基本設計概念による例示的な熱転写画像／フラグラベルの斜視図を示す。
【図２】開示された基本設計概念によるテニスコート熱転写画像／フラグラベルの斜視図を示す。
【図３】開示された基本設計概念によるサッカーフィールド熱転写画像／フラグラベルの斜視図を示す。
【図４】開示された基本設計概念によるバスケットボールコート熱転写画像／フラグラベルの斜視図を示す。
【発明を実施するための形態】
【００１１】
本願に亘って、同じ参照番号が、同じ要素を指示するために使用されている添付の図面を参照して、本革新をこれより説明する。以下の説明では、説明の目的で、本革新の完全な理解を提供するために、多くの特定の詳細が示される。しかしながら、本革新は、これらの特定の詳細なしに実施することができることは明らかである。他の例では、本革新の説明を容易にするために、周知の構造体およびデバイスが、ブロックダイアグラムの形態で示されている。
【００１２】
特定の商品上で使用される、および／または、特定のイベントのための独特な熱転写画像およびフラグラベルが開示されている。熱転写画像は、イベント、チーム等を宣伝するために使用されることができる。代表的には、熱転写画像は、シャツ、帽子、ショートパンツ、スポーツ若しくは他の衣類のような衣服物品に付けられており、代表的には、スポーツコートまたはフィールドであるだろう。フラグラベルは、衣類が下で見えるように鮮明な背景を有するのがよく、スポーツコートまたはフィールドの線だけが見えるであろうし、或いは、背景は、フィールドまたはコートの色でもよく、チーム背景のいくつかに似ていてもよい。
【００１３】
初めに図面を参照すると、図１は、熱転写画像／フラグラベル１００を示している。熱転写画像／フラグラベル１００は、一般的には、フラグラベル１０２と、１つまたはそれ以上のグラフィックおよび／またはテキストを構成するように形成された１つまたはそれ以上の印刷熱転写画像１０４を含む。熱転写画像／フラグラベル１００は、特定の商品アパレルに、および／または、特定のイベントを宣伝するために付けられるであろう。独特な熱転写画像は、当業界で知られているような熱転写画像を形成する任意の適当な方法によって形成することができる。
【００１４】
独特な熱転写画像１０４は、印刷物１０６をさらに含む。印刷物１０６は、特定のスポーツまたはイベントと関連したテキスト、絵、および、数を組み込んだ視覚的に認識可能な情報であるだろう。特定のイベントまたはスポーツと関係する限り、任意の適当な印刷材料が、熱転写画像１０４の印刷物１０６に組み込まれてよい。
【００１５】
代表的には、図２−図５に示されているように、印刷物１０６は、テニスコート（図２参照）、バドミントンコート、バレーボールコート、卓球コート、フットボールフィールド（図５）、サッカーフィールド（図３参照）、または、バスケットボールコート（図４参照）等のような特定のスポーツコートまたはフィールドを含む。特定のスポーツコートまたはフィールドは、熱転写画像１０４として付けられるであろうし、フラグラベル１０２は、スポーツコートまたはフィールドの特定の構成要素のみならず、身元証明の目的のためのブランド名をも含むであろう。さらに、フラグラベル１０２は、衣類が下で見えるように鮮明な背景を有するのがよく、スポーツコートまたはフィールドの線だけが見えるであろうし、或いは、背景は、フィールドまたはコートの色でもよく、チーム背景のいくつかに似ていてもよいであろう。
【００１６】
フラグラベル１０２上のフィールドまたはコートの構成要素は、テニスネット（図２参照）、サッカーゴール（図３参照）、バスケットボールゴール（図４参照）、または、フットボールゴール（図５参照）であり得るであろう。さらに、熱転写画像が特定のイベントの身元を証明するために使用される場合には、その特定のイベントのためのスポンサーの画像またはロゴもまた、熱転写画像１０４上に印刷することができ、並びに、スポンサーに関連した独特な色またはスローガン等の、スポンサーのための他の身元証明情報も印刷することができる。
【００１７】
さらに、印刷物１０６は、当業者で知られているような任意の適当なインクで印刷されるであろう。例えば、印刷物１０６は、光学的に読み取り可能な情報を含み、風、雨、および、光に対し優れた耐久性を有し、より簡単にかつ小さい費用で生成することができる印刷物１０６を提供するために、紫外線硬化型インクで印刷されるのがよい。紫外線硬化型インクは、インクが、紫外線で輻射されることによって硬化されることができる限り、任意のタイプであってよい。インクが、視覚的に読み取り可能な情報、および、悪条件に対する耐久性を提供する限り、他の適当なインクが、当業界で知られているように、印刷物１０６のために使用されることができる。さらに、画像は、代表的には、Palo Alto, CAのホームページから入手可能なIndigo(登録商標)のようなデジタル印刷機、または、オフセット印刷機で印刷される。
【００１８】
さらに、熱転写画像１０４は、基材１０８に付けられる。機材１０８は、代表的には、不織布材料であるが、当業者で知られているような任意の適当な材料であってよい。さらに、基材１０８は、代表的には、当業界で知られている定型方法を使用して生成される。さらに、基材１０８は、シャツ、キャップ、トレーナー、ジャージ等のような衣服物品１１０、或いは、当業者で知られているような他の適当な衣服物品１１０の一部（に組み込まれている）であろう。熱転写画像１０４は、熱転写画像を付けるための当業者で知られているような任意の適当な方法により衣服物品に付けられる。熱転写画像１０４は、製造者または使用者の要望および／またはニーズに応じて、衣服物品１１０の内側または外側に、或いは、衣服物品１１０のタグ上にさえ老けられるであろう。
【００１９】
これまでの説明は、特許請求されている主題の例を含む。もちろん、特許請求されている主題を説明する目的のための構成要素または方法のすべての考え得る組み合わせを記載することはできないが、当業者は、特許請求されている主題のさらに別の組み合わせおよび順列が可能であることを認識することができる。したがって、特許請求されている主題は、添付の特許請求の範囲の精神および範囲内にあるすべてのかかる改変、変更、および、変形を包含することを意図している。さらに、用語「含む(imcludes)」が、詳細な説明または特許請求の範囲のいずれかにおいて使用されている点につき、かかる用語は、用語「含む(comprising)」が請求項で翻訳的用語として使用されるときに解釈されるように、用語「含む(comprising)」と同様な仕方で含むことを意図している。
【符号の説明】
【００２０】
１００      熱転写画像／フラグラベル
１０２      フラグラベル
１０４      熱転写画像
１０６      印刷物
１０８      基材
１１０      衣服物品
【図１】
2018534604.tif 000003
【図２】
2018534604.tif 000004
【図３】
2018534604.tif 000005
【図４】
2018534604.tif 000006
【図５】
2018534604.tif 000007
【国際調査報告】
2018534604.tif 000008
2018534604.tif 000009